(57)【要約】【課題】放熱面積を増加し、発生する熱エネルギーを減少した照明装置の提供。【解決手段】本考案の照明装置は、照明装置本体を含み、その内部にLED照明体が設置され、照明体後端に本体に固定された放熱体が設けられ、照明体が発生する熱エネルギーが放熱体を介して本体上に伝導され、熱エネルギーを大幅に抑えることができ、且つ、照明体が電気ワイヤを介して電源供給装置と相互に接続され、照明体外縁に反射体が設置され、照明範囲及び角度が向上されると共に、照明体及び反射体の外縁にライトカバーが設置され、ライトカバー外縁が固定部材を介して螺合固定部材により本体と相互に固定され、本体上にしっかりと固定されると共に、本体外縁に支持体が凸設され、カバー部材と固定され、前記カバー部材上にリブが設けられ、放熱面積を増加すると同時に、放熱孔が形成され、放熱をより迅速に行わせることができる。【選択図】  図１
0003149515.tif 000002
【実用新案登録請求の範囲】
【請求項１】
照明装置本体を含み、前記照明装置本体内に電気ワイヤを介して接続された照明体が設置され、前記照明体の外縁にライトカバーが設置され、本体上部外縁に支持体が凸設され、且つ、前記支持体外縁にカバー部材が設置されたことを特徴とする、照明装置の構造改良。        
【請求項２】
前記照明体が少なくとも１つ以上のLEDランプを組み立てて成ることを特徴とする、請求項１に記載の照明装置の構造改良。
【請求項３】
前記照明体外縁に反射体を設置することができることを特徴とする、請求項１に記載の照明装置の構造改良。
【請求項４】
前記カバー部材上にリブ及び放熱孔を設けたことを特徴とする、請求項１に記載の照明装置の構造改良。
【考案の詳細な説明】
【技術分野】
【０００１】
本考案は照明装置の構造改良に関し、特に、室外や街灯照明として応用でき、照明面積を増加し、放熱効果を向上することができる、照明装置の構造改良に関する。
【背景技術】
【０００２】
地球温暖化による温室効果がより顕著になり、世界の異常気象の回数が年を追って増加し、悪化の一途を辿っているため、現在各国はすでにこの種の異常な現象に対して対応を始めており、二酸化炭素の産出を減らすほか、各種代替エネルギー源、再生エネルギー源、環境に配慮したエネルギー源の研究及び発展にも積極的である。また、照明装置が発生する高温をいかに抑えるかということも現在克服すべく尽力されている問題である。現在一般的な照明装置の構造は、金属の本体から成り、同時に道路照明の目的を達するため、照明装置は従来の電球を主要な照明の器材として採用している。従来の電球は道路照明という目的を達することはできるものの、従来の電球は照明時に高温を発生しやすく、従来の電球が発生する高温は金属本体を通して吸収されるが、従来の金属本体は熱源を吸収するという効果を達するのみであり、吸収後の熱源を効果的に散出させることができないため、金属本体の高温状態が一定時間継続し、地球温暖化の状況には無益である。このため、上述の問題を解決すべく、現在世界各国は積極的に照明装置の使用時間を減少するよう呼びかけており、例えば、パリエッフェル塔のライトアップを消す活動や、コンビニエンスストアの夜間消灯等の取り組みがなされ、上述の作業及び活動はすべて照明装置が発生する高温を克服するためのものである。しかしながら、照明装置は主に照明として使用するためのものであり、上述のような消灯という方法を採用することは理想的でなく、このため、現在照明装置は効果的に熱源上の問題を克服することができずにいると言うことができる。
【０００３】
このことか分かるように、上述の従来の照明装置にはまだ多くの欠点があり、優れた設計であるとは言えず、改良が待たれている。
【０００４】
本考案の考案者は、上述の従来の照明装置の構造に派生する各欠点に鑑みて改良を行い、長年の研究を経て、ついに本考案の照明装置の構造改良に成功したものである。
【考案の開示】
【考案が解決しようとする課題】
【０００５】
本考案の目的は、照明装置本体とカバー部材の設置により、放熱面積を増加した照明装置の構造改良を提供することにある。
【０００６】
本考案の別の目的は、LEDランプの設置により、照明の効果を効果的に達するほか、従来の電球が発生する熱エネルギーを大幅に抑えた、照明装置の構造改良を提供することにある。    
【課題を解決するための手段】
【０００７】
照明装置の構造改良は、照明装置本体を含み、前記照明装置本体はアルミ合金及び炭素繊維糸材を溶融鋳造して成り、照明装置が発生する熱エネルギーを効果的に吸収して排出することができ、前記照明装置本体内に照明体が接続され、前記照明体が少なくとも１つ以上のLEDを組み立てて成り、照明に必要な輝度を達することができるほか、照明時発生する熱エネルギーを大幅に抑えることができ、且つ、照明体の使用寿命を効果的に延長できると共に、照明体は電気ワイヤを介して電源供給装置と相互接続され、照明体の後端に本体と相互に固定された放熱体が設置され、照明体が発生する熱エネルギーが放熱体を介して本体上に伝導されるよう構成すると共に、照明体外縁に反射体が設置され、この反射体の設置により、照明範囲及び角度を向上でき、さらに、照明体及び反射体の外縁に本体内の照明体及び反射体を保護するライトカバーが設置され、ライトカバー外縁は固定部材を介して螺合固定部材により本体と相互に固定され、上述の構成部材が本体上にしっかり固定されると共に、本体外縁に少なくとも１つの支持体が凸設され、且つ、支持体の外にカバー部材が被せられ、カバー部材を本体外縁に被せるとき、支持体の設置により本体とカバー部材間に間隙が形成され、照明装置の使用時に、支持体を介して熱エネルギーがカバー部材上に伝導され、放熱面積が増加されると同時に、本体とカバー部材間の間隙が放熱流動の空間となり、さらに前記カバー部材上にリブが設けられ、放熱面積が増加されると共に、放熱孔が形成され、放熱を迅速に行わせることができる。
【考案の効果】
【０００８】
本考案の照明装置は、照明装置が発生する熱エネルギーを効果的に吸収して排出することができ、LEDを用いて照明時発生する熱エネルギーを大幅に抑え、且つ、照明体の使用寿命を効果的に延長できると共に、前記カバー部材上に設けられたリブで放熱面積を増加し、さらに放熱孔で迅速に放熱を行わせることができる。      
【考案を実施するための最良の形態】
【０００９】
図１から図５に本考案の照明装置の構造改良の立体分解図と組立図、別の実施状態の立体分解図を示す。本考案の照明装置は、照明装置本体１と、照明体２、反射体３、ライトカバー４、固定部材５、カバー部材７を含む。
【００１０】
前記照明装置本体１は上面外縁に支持体１１が突出して設けられ、カバー部材７を支持し、前記支持体１１は線状または柱体状とすることができるが、本考案の支持体１１は上述の線状または柱体状に限らず、あらゆる形状の突出物とすることができることを特に強調しておく。
【００１１】
前記照明体２は照明装置本体１内に設置され、前記照明体２は少なくとも１つ以上のLEDランプ２１を組み立てて成り、照明に必要な輝度を達するほか、照明時発生する熱エネルギーを大幅に抑えると共に、照明体２の使用寿命を効果的に延長することができ、照明体２は電気ワイヤ９を介して電源供給装置（図示しない）と相互に接続され、且つ、照明体２後端に放熱体６が設置され、本体１と相互に固定されて、照明体２が発生する熱エネルギーが放熱体６を介して本体１上に伝導され、さらに照明装置本体１及びカバー部材７を介して熱エネルギーが排出される。
【００１２】
前記反射体３は照明体２の外側に固定され、反射体３の設置により、照明範囲及び輝度を向上することができる。
【００１３】
前記ライトカバー４は照明体２及び反射体３の外縁に設置され、本体１内の照明体２及び反射体３を保護する。
【００１４】
前記固定部材５は螺合固定部材８によりライトカバー４を本体１上に固定する。
【００１５】
前記カバー部材７は本体１外縁に被せて固定され、カバー部材７上にリブ７２が設けられ、放熱面積が増加されると共に、その上にさらに放熱孔７１が設けられ、放熱をより迅速に行うことができるよう構成する。本体１の支持体１１の設置により、本体とカバー部材間に間隙が形成され、照明装置の使用で熱エネルギーが発生するとき、支持体１１を介して熱エネルギーをカバー部材７上に伝導し、放熱面積を増加すると同時に、本体１とカバー部材７間の間隙が放熱流動のための空間を提供することができる。
【００１６】
上述の詳細な説明は、本考案の実施例の具体的な説明であり、前記実施例は本考案の特許範囲を制限するものではなく、本考案の技術的要旨を逸脱しない同等効果を有する実施または変更はすべて、本考案の特許範囲に含まれるものとする。
【００１７】
上述をまとめると、本考案は空間形態上確実に新規性があり、且つ、従来の照明装置に比べ上述のような多項目の効果を備えており、新規性及び進歩性という特許要件を満たしているため、法に基づき出願を提出するものであり、審査官各位には本実用新案の出願を許可していただけるよう願うものである。
【図面の簡単な説明】
【００１８】
【図１】本考案の照明装置の構造改良の立体分解図である。
【図２】本考案の照明装置の構造改良の別の角度の立体分解図である。
【図３】本考案の照明装置の構造改良の立体組立図である。
【図４】本考案の照明装置の構造改良の別の角度の立体組立図である。
【図５】本考案の照明装置の構造改良の別の実施状態を示す立体分解図である。
【符号の説明】
【００１９】
１        照明装置本体
１１      支持体
２        照明体
２１      LEDランプ
３        反射体
４        ライトカバー
５          固定部材
６        放熱体
７        カバー部材
７１      放熱孔
７２      リブ
８        螺合固定部材
９        電気ワイヤ
２１        LEDランプ２１
【図１】
0003149515.tif 000003
【図２】
0003149515.tif 000004
【図３】
0003149515.tif 000005
【図４】
0003149515.tif 000006
【図５】
0003149515.tif 000007
【手続補正書】
【提出日】平成21年1月23日(2009.1.23)
【手続補正１】
【補正対象書類名】実用新案登録請求の範囲
【補正対象項目名】全文
【補正方法】変更
【補正の内容】
【実用新案登録請求の範囲】
【請求項１】
照明装置本体を含み、前記照明装置本体内に電気ワイヤを介して接続された照明体が設置され、前記照明体の外縁にライトカバーが設置され、本体上部外縁に支持体が凸設され、且つ、前記支持体外縁にカバー部材が設置されたことを特徴とする、照明装置の改良構造。        
【請求項２】
前記照明体が少なくとも１つ以上のLEDランプを組み立てて成ることを特徴とする、請求項１に記載の照明装置の改良構造。
【請求項３】
前記照明体外縁に反射体を設置することができることを特徴とする、請求項１に記載の照明装置の改良構造。
【請求項４】
前記カバー部材上にリブ及び放熱孔を設けたことを特徴とする、請求項１に記載の照明装置の改良構造。